(57)【要約】【課題】  所定の待機動作モード以外の動作モードにあるときに外部装置からデータ送受信用の通信開始要求を拒否するとき、その通信開始要求の拒否の理由を利用者が確認することができる移動体通信端末を提供する。【解決手段】  本移動体通信端末２０は通信インターフェース手段２１０と制御手段２１１とメッセージ出力手段２１２とを備える。制御手段２１１は、外部装置１０との間で通信可能な接続状態になった後、所定の待機動作モードにあるときに外部装置１０から送信されたデータ送受信用の通信開始要求を受け付け、その他の動作モードにあるときにデータ送受信用の通信開始要求を拒否するように、通信インターフェース手段２１０を制御する。また、制御手段２１１は、データ送受信用の通信開始要求を拒否するとき、その通信開始要求の拒否理由を含む警告メッセージを出力するように、メッセージ出力手段２１２を制御する。【選択図】  図６
2006121337.tif 000002
【特許請求の範囲】
【請求項１】
近距離用の有線又は無線の非公衆通信により外部装置との間で通信するための通信インターフェース手段を備えた移動体通信端末であって、
該外部装置との間で通信可能な接続状態になった後、所定の待機動作モードにあるときに該外部装置から送信されたデータ送受信用の通信開始要求を受け付け、その他の動作モードにあるときに該データ送受信用の通信開始要求を拒否するように、通信インターフェース手段を制御する通信制御手段と、
メッセージを出力するメッセージ出力手段と、
該データ送受信用の通信開始要求を拒否するとき、その通信開始要求の拒否理由を含む警告メッセージを出力するように、該メッセージ出力手段を制御する出力制御手段とを備えたことを特徴とする移動体通信端末。
【発明の詳細な説明】
【技術分野】
【０００１】
本発明は、近距離用の有線又は無線の非公衆通信により外部装置と間でデータ送受信の通信を行うことができる携帯電話機等の移動体通信端末に関するものである。
【背景技術】
【０００２】
従来、この種の移動体通信端末として、ＵＳＢ（Universal Serial Bus）ケーブルを介して外部装置と接続され、その外部装置との間でデータを送受信できる携帯電話機が知られている（例えば特許文献１、２参照）。この携帯電話機では、ＵＳＢケーブルの端子が携帯電話機と外部装置と差し込まれると、通信のための初期化動作が実行され、外部装置との間で通信可能な接続状態になる。
【特許文献１】特開２００３−００８６８３号公報
【特許文献２】特開２００３−１５８５６１号公報
【発明の開示】
【発明が解決しようとする課題】
【０００３】
上記従来の携帯電話機にように近距離用の有線又は無線の非公衆通信により外部装置と間でデータ送受信の通信を行う移動体通信端末では、上記所定の接続状態になった後、外部装置からデータ送受信用の通信開始要求が送信される。この通信開始要求に対して、移動体通信端末は、所定の待機動作モードにあるときだけ外部装置との間のデータ送受信の通信を許可するように応答する場合と、その他の動作モードにあるときには、外部装置との間のデータ送受信の通信を拒否するように応答する場合とがある。ところが、上記通信開始要求に対して拒否する応答があった場合、どのような理由で拒否されているのかを利用者が確認することができないという問題があった。
【０００４】
本発明は以上の問題点に鑑みなされたものである。その目的は、所定の待機動作モード以外の動作モードにあるときに外部装置からデータ送受信用の通信開始要求を拒否するとき、その通信開始要求の拒否の理由を利用者が確認することができる移動体通信端末を提供することである。
【課題を解決するための手段】
【０００５】
上記目的を達成するために、請求項１の発明は、近距離用の有線又は無線の非公衆通信により外部装置との間で通信するための通信インターフェース手段を備えた移動体通信端末であって、該外部装置との間で通信可能な接続状態になった後、所定の待機動作モードにあるときに該外部装置から送信されたデータ送受信用の通信開始要求を受け付け、その他の動作モードにあるときに該データ送受信用の通信開始要求を拒否するように、通信インターフェース手段を制御する通信制御手段と、メッセージを出力するメッセージ出力手段と、該データ送受信用の通信開始要求を拒否するとき、その通信開始要求の拒否理由を含む警告メッセージを出力するように、該メッセージ出力手段を制御する出力制御手段とを備えたことを特徴とするものである。
【０００６】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
また、上記移動体通信端末と上記外部装置との間でデータ送受信するための近距離用の有線の非公衆通信は、例えばＵＳＢ（Universal Serial Bus）ケーブルや１６芯のインターフェースケーブル等を用いて行うことができる。また、近距離用の無線の非公衆通信は、赤外線を用いて行ったり、Bluetooth（登録商標）やＩＥＥＥ８０２．１１等で規格された無線通信を用いて行ったりすることができる。
また、上記移動体通信端末における制御は、その移動体通信端末に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行ってもいいし、コンピュータネットワーク等の通信ネットワークを用いて行ってもよい。
【発明の効果】
【０００７】
本発明によれば、移動体通信端末が所定の待機動作モード以外の動作モードにあるときに、外部装置から送信されたデータ送受信用の通信開始要求を拒否するとき、その通信開始要求の拒否の理由を含む警告メッセージをメッセージ出力手段で出力する。このメッセージ出力手段で出力された警告メッセージにより、上記通信開始要求の拒否理由を利用者が確認することができるという効果がある。
【発明を実施するための最良の形態】
【０００８】
以下、本発明をインターフェースケーブルを介してパーソナルコンピュータ等の外部装置と通信可能な携帯電話機やＰＨＳ等の移動体通信端末（以下「移動機」という。）に適用した実施形態について説明する。
【０００９】
図１は、本実施形態に係る移動機２０と外部装置１０とをインターフェースケーブル１１で接続して構成した通信システム全体の説明図である。この通信システムでは、外部装置１０から移動機２０に所定のコマンドを送信することにより、移動機２０内のファイル処理を外部装置１０から実行したり、移動機２０が有する各種機能を利用したりすることができる。例えば、移動機２０内のファイルリストを取得したり、移動機２０内にファイルを書き込んだり、移動機２０内のファイルを外部装置１０に読み出したりすることができる。また、外部装置１０から移動機２０に所定のコマンドを送信することにより、移動機２０の複数のキーそれぞれを利用者が操作したときの様々な動作を、外部装置１０から実行できる。例えば、外部装置１０から移動機２０に文字情報を一括して送って入力したり、外部装置１０でメール本文を作成して移動機２０に送って移動機２０のメール機能を起動して移動体通信網４０のメールサーバ４３にメールを送信したりすることができる。また、外部装置１０から移動機２０を操作し、ダウロードサーバ４１からＪＡＶＡ（登録商標）等のアプリケーションプログラムをダウンロードして移動機２０内に保存することもできる。更に、外部装置１０から移動機２０を操作し、Ｗｅｂサーバ４２にアクセスして各種ＷＥＢページを閲覧したりすることもできる。
【００１０】
なお、本実施形態では、外部装置１０と移動機２０との間を接続するインターフェースケーブル１１として、ＵＳＢ（Universal Serial Bus）ケーブルを用いている。
【００１１】
図２は移動機２０の外観図であり、図３は移動機２０のハードウェア構成を示す概略構成図である。この移動機２０は、システムバス２００、ＣＰＵ２０１、ＲＡＭ２０２やＲＯＭ２０３等からなるデータ記憶手段、入力装置２０４、出力装置２０５、移動体通信網用通信装置２０６、外部接続用インターフェース装置２０７、撮像手段としての撮像デバイス２９を備えている。ＣＰＵ２０１やＲＡＭ２０２等の構成要素は、システムバス２００を介して、互いに各種データや後述のプログラムの命令等のやり取りを行っている。
上記入力装置２０４は、データ入力キー（テンキー、＊キー、＃キー）２１、通話開始キー２２、終話キー２３、スクロールキー２４、多機能キー２５等の複数のキーや、マイク２６等から構成されている。
上記出力装置２０５は、画像表示手段である液晶ディスプレイ（ＬＣＤ）２７、スピーカ２８等から構成されている。上記移動体通信網用通信装置２０６は、移動体通信網４０を介して他の移動機や各種サーバ４１、４２、４３と通信するためのものである。
また、上記撮像デバイス２９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス２９は、人物や風景等の画像を撮影したり、接写機能により１次元や２次元のコード画像を撮影したりするときに用いられる。
また、上記外部接続用インターフェース装置２０７は、インターフェースケーブル（ＵＳＢケーブル）１１を介して外部装置１０との間で通信を行うためのものである。
【００１２】
図４は、外部装置１０のハードウェア構成の一例を示す概略構成図である。この外部装置１０は、システムバス１００、ＣＰＵ１０１、ＲＡＭ１０２やＲＯＭ１０３等からなる内部記憶装置、ハードディスクドライブ（ＨＤＤ）や光ディスクドライブ等からなる外部記憶装置１０４、マウスやキーボード等からなる入力装置１０５、ディスプレイやプリンタ等からなる出力装置１０６、インターフェースケーブル１１を介して移動機２０と通信するための移動機接続用インターフェース装置１０７を備えている。この外部装置１０においてＣＰＵ１０１やＲＡＭ１０２等の構成要素はお互いに、システムバス１００を介して、データやプログラムの命令等のやり取りを行っている。外部装置１０を所定の手順に従って動作させるためのプログラムはＲＯＭ１０３や外部記憶装置１０４に記憶されており、必要に応じてＣＰＵ１０１やＲＡＭ１０２上の作業エリアに呼び出されて実行される。
【００１３】
図５は、本実施形態の通信システムを構成する移動機２０及び外部装置１０の機能ブロック図である。移動機２０は、図３に示したハードウェア上で所定のプログラムを実行することにより、図５に示す通信インターフェース手段２１０、メッセージ出力手段２１１及び制御手段２１２の各機能を実現している。なお、制御手段２１２は、通信インターフェース手段２１０を制御する通信制御手段と、メッセージ出力手段２１１を制御する出力制御手段とに兼用されている。
【００１４】
上記通信インターフェース手段２１０は、移動機２０のＣＰＵ２０１、外部接続用インターフェース装置２０７等により構成され、インターフェースケーブル１１を介して外部装置１０との間でデータを送受信する機能を有する。
【００１５】
上記メッセージ出力手段２１１は、移動機２０の出力装置２０５等で構成され、各種メッセージを画像としてディスプレイ２７に表示したり、音としてスピーカ２８から出力したりする機能を有している。
【００１６】
上記制御手段２１２は、移動機２０のＣＰＵ２０１、ＲＡＭ２０２等により構成され、次のような通信制御を行う。すなわち、制御手段２１２は、外部装置１０との間で通信可能な接続状態になった後、所定の待機動作モードにあるときに外部装置１０から送信されたデータ送受信用の通信開始要求を受け付けるように、通信インターフェース手段を制御する。そして、制御手段２１２は、上記所定の待機動作モード以外の他の動作モードにあるときに外部装置１０から送信されたデータ送受信用の通信開始要求を拒否するように、通信インターフェース手段２１０を制御する。
【００１７】
更に、上記制御手段２１２は、次のような出力制御を行う。すなわち、制御手段２１２は、上記外部装置１０からのデータ送受信用の通信開始要求を拒否するとき、その通信開始要求の拒否理由を含む警告メッセージを出力するように、上記メッセージ出力手段２１１を制御する。
【００１８】
また、上記制御手段２１２は、上記通信開始要求を受け付けた場合は、入力装置２０４から入力されたデータ等に基づいて動作する通常動作モードから、外部装置１０とのデータ送受信を伴うファイル転送動作モードやキーエミュレート動作モードに遷移する。
上記ファイル転送モードは、外部装置１０から受信したコマンドに基づいて、外部装置１０から受信したファイルをデータ記憶手段に書き込んだりデータ記憶手段内のファイルを読み出して外部装置１０へ送信したりするファイル処理を行うように動作する動作モードである。
また、上記キーエミュレート動作モードは、外部装置１０から受信した複数のコマンドのいずれかと、移動機２０内のメモリに記憶しているキーコマンド対応データとに基づいて、コマンドに対応するキー操作を特定し、その特定されたキー操作を行ったときと同様に移動機２０を動作させる動作モードである。
【００１９】
一方、外部装置１０は、図４に示したハードウェア上で所定のプログラムを実行することにより、図５に示す通信インターフェース手段１１０、制御手段１１１及びデータ記憶手段１１２の各機能を実現している。
上記データ送受信手段１１０は、外部装置１０のＣＰＵ１０１、移動機接続用インターフェース装置１０７等により構成され、インターフェースケーブル１１を介して移動機２０との間でデータを送受信する機能を有している。
上記データ記憶手段１１２は、移動機２０に送信するコマンドに関する情報や、移動機２０との間で送受信するファイルのデータ等を記憶している。このデータの読み出しや保存は、制御手段１１１で制御される。
上記制御手段１１１は、入力装置１０５から入力されたデータ等に基づいて、移動機２０におけるファイル処理やキーエミュレート処理を実行させるためのコマンドを生成して移動機２０に送信するように、上記データ送受信手段１１０を制御する機能を有している。
【００２０】
図６は、上記通信システムにおいてデータ送受信を開始するときの移動機２０における処理を示すフローチャートである。
また、利用者が外部装置１０と移動機２０との間をＵＳＢケーブル（インターフェースケーブル）１１で接続すると、移動機２０はＵＳＢケーブルプラグが装着されたことを検知し、ＵＳＢ通信接続の初期化処理動作を実行する（ステップＳ１）。同様に、外部装置１０においても、上記ＵＳＢ通信接続の初期化処理動作が実行される。この処理により、移動機２０は外部装置１０との間で通信可能な接続状態になる。
次に、外部装置１０と移動機２０との間でデータ送受信を開始するように、利用者が外部装置１０の入力装置を操作すると、外部装置１０から移動機２０へデータ送受信用の通信開始要求のコマンドが送信される。例えば、通信開始要求のコマンドとして「Connect」が送信される。移動機２０は、外部装置１０から通信開始要求のコマンドを受信すると、通信開始要求のコマンドを受け付ける所定の待機動作モードか否かに応じて異なる応答を行う（ステップＳ３）。
ここで、上記通信開始要求のコマンドを受信したときの動作モードが上記待機動作モードである場合は、通信開始要求のコマンドを受け付け、上記待機動作モードから外部操作モード（ファイル転送モード又はキーエミュレートモード）へ動作モードを遷移させる（ステップＳ５〜Ｓ７）。
一方、上記通信開始要求のコマンドを受信したときの動作モードが上記待機動作モード以外の他の動作モードである場合は、移動機２０は、上記通信開始要求のコマンドを拒否するように応答する。例えば、上記通信開始要求のコマンド「Connect」に対し、「DatabaseLocked」を返信して応答する。更に、移動機２０は、警告メッセージを出力する（ステップＳ８，９）。例えば、「通常待受け画面でのみ外部接続できます。」というテキストからなる警告メッセージを出力装置２０５のディスプレイ２７に表示する。また、上記警告メッセージを音声信号としてスピーカ２８から出力するようにしてもよい。この移動機２０から出力された警告メッセージをにより、利用者は、上記通信開始要求のコマンドが拒否された理由を確認することができる。
【００２１】
以上、本実施形態によれば、移動機２０が所定の待機動作モード以外の動作モードにあるときに、外部装置１０から送信されたデータ送受信用の通信開始要求のコマンドを拒否するとき、その通信開始要求の拒否の理由を含む警告メッセージを出力装置２０５から出力する。この出力装置２０５から出力された警告メッセージにより、上記通信開始要求の拒否理由を利用者が確認することができる。
【００２２】
なお、上記実施形態では、ＵＳＢケーブルを介して外部装置１０と移動機２０との間で通信を行う場合について説明したが、本発明は、ＵＳＢケーブル以外のインターフェースケーブル、赤外線、近距離無線などの通信媒体を介して通信を行う場合についても同様に適用することができる。
【図面の簡単な説明】
【００２３】
【図１】本発明の実施形態に係る通信システム全体の概略構成の一例を示す説明図。
【図２】同通信システムで用いる移動機の外観図。
【図３】同移動機のハードウェア構成を示す概略構成図。
【図４】同通信システムで用いる外部装置のハードウェア構成を示す概略構成図。
【図５】同通信システムの移動機及び外部装置の主要な機能を抽出して示した機能ブロック図。
【図６】同通信システムにおいてデータ送受信を開始するときの移動機における処理を示すフローチャート。
【符号の説明】
【００２４】
１０    外部装置
１１    インターフェースケーブル
２０    移動機
４０    移動体通信網
【図１】
2006121337.tif 000003
【図２】
2006121337.tif 000004
【図３】
2006121337.tif 000005
【図４】
2006121337.tif 000006
【図５】
2006121337.tif 000007
【図６】
2006121337.tif 000008